(57)【要約】【課題】原稿の画像を読み取って得られた読取画像に対し、目的とする部位に、より簡易に隠蔽処理を施すことのできる画像読取装置等を提供する。【解決手段】画像読取装置１０は、スキャナ１６から入力されてくる元画像データから、マスク形成の対象位置となり得る目印を検出する目印検出部１２０と、目印検出部１２０で検出された目印と、ＵＩ装置１５にて受け付けた指示とに基づいて、元画像データに対しマスクを形成すべき変換対象領域を設定し、設定された変換対象領域に対応するマスク画像データとマスク画像に付随して設定される付随データとを含む付加データを作成する付加データ作成部１３０と、付加データ作成部１３０によって作成された付加データと、この付加データの元となった元画像データとを合成して電子文書を作成する電子文書合成部１４０とを備える。【選択図】図３
2013150025.tif 000002
【特許請求の範囲】
【請求項１】
画像を読み取る読取手段と、
前記読取手段によって読み取られた読取画像から目印を検出する検出手段と、
前記検出手段によって検出された前記目印に基づき、当該目印を含む領域を隠蔽する隠蔽画像を作成する作成手段と、
前記読取画像と前記隠蔽画像とを合成して電子文書を作成する合成手段と
を含む画像読取装置。
【請求項２】
前記作成手段は、前記隠蔽画像によって隠蔽される領域に存在する被隠蔽画像を、当該隠蔽画像とは異なる領域に表示させるための表示画像をさらに作成することを特徴とする請求項１記載の画像読取装置。
【請求項３】
前記作成手段は、前記被隠蔽画像が前記隠蔽画像に連動して表示されるように、前記表示画像を作成することを特徴とする請求項２記載の画像読取装置。
【請求項４】
前記作成手段は、前記被隠蔽画像が前記隠蔽画像と同一のページにおけるヘッダあるいはフッタとして表示され、または、当該被隠蔽画像が当該隠蔽画像とは別のページに表示されるように、前記表示画像を作成することを特徴とする請求項２記載の画像読取装置。
【請求項５】
前記作成手段は、前記検出手段によって検出された複数の前記目印のうち、ランダムに選択された１以上の当該目印に基づいて前記隠蔽画像を作成することを特徴とする請求項１乃至４のいずれか１項記載の画像読取装置。
【請求項６】
前記検出手段は、前記目印としてマーカーが付された領域、下線が付された領域、数字列、あるいは特定の文字列を検出することを特徴とする請求項１乃至５のいずれか１項記載の画像読取装置。
【請求項７】
画像を読み取る読取手段と、
前記読取手段によって読み取られた読取画像から目印を検出する検出手段と、
前記検出手段によって検出された前記目印に基づき、当該目印を含む領域を隠蔽する隠蔽画像を作成する作成手段と、
前記読取画像と前記隠蔽画像とを合成して電子文書を作成する合成手段と、
前記電子文書を表示する表示手段と
を含む携帯端末装置。
【請求項８】
コンピュータに、
画像を読み取って得られた読取画像から目印を検出する機能と、
検出された前記目印に基づき、当該目印を含む領域を隠蔽するための隠蔽画像を作成する機能と、
前記読取画像と前記隠蔽画像とを合成して電子文書を作成する機能と
を実現させるプログラム。
【発明の詳細な説明】
【技術分野】
【０００１】
本発明は、画像読取装置、携帯端末装置、プログラムに関する。
【背景技術】
【０００２】
公報記載の従来技術として、背景色と情報の種類が対応付けられた種類テーブルを予め有し、読み取られた画像に対して文字認識処理を行い、画像中で特定された文字列について、上記種類テーブルを用いて文字列で示される情報の種類を判定し、判定結果に応じて、特定された文字列を分類整理するものが存在する（特許文献１参照）。
【０００３】
また、他の公報記載の従来技術として、読み取った文書の画像から表罫線を抽出し、罫線の種に従って罫線候補をグループ分けして修正画面及び／又はリスト画面を表示し、表示された罫線の選択や修正を受け付けるものが存在する（特許文献２参照）。
【先行技術文献】
【特許文献】
【０００４】
【特許文献１】特開２００８−５９２５５号公報
【特許文献２】特開２０１０−３３１７７号公報
【発明の概要】
【発明が解決しようとする課題】
【０００５】
本発明は、原稿の画像を読み取って得られた読取画像に対し、目的とする部位に、より簡易に隠蔽処理を施すことのできる画像読取装置等を提供することを目的とする。
【課題を解決するための手段】
【０００６】
請求項１記載の発明は、画像を読み取る読取手段と、前記読取手段によって読み取られた読取画像から目印を検出する検出手段と、前記検出手段によって検出された前記目印に基づき、当該目印を含む領域を隠蔽する隠蔽画像を作成する作成手段と、前記読取画像と前記隠蔽画像とを合成して電子文書を作成する合成手段とを含む画像読取装置である。
【０００７】
請求項２記載の発明は、前記作成手段は、前記隠蔽画像によって隠蔽される領域に存在する被隠蔽画像を、当該隠蔽画像とは異なる領域に表示させるための表示画像をさらに作成することを特徴とする請求項１記載の画像読取装置である。
請求項３記載の発明は、前記作成手段は、前記被隠蔽画像が前記隠蔽画像に連動して表示されるように、前記表示画像を作成することを特徴とする請求項２記載の画像読取装置である。
請求項４記載の発明は、前記作成手段は、前記被隠蔽画像が前記隠蔽画像と同一のページにおけるヘッダあるいはフッタとして表示され、または、当該被隠蔽画像が当該隠蔽画像とは別のページに表示されるように、前記表示画像を作成することを特徴とする請求項２記載の画像読取装置である。
請求項５記載の発明は、前記作成手段は、前記検出手段によって検出された複数の前記目印のうち、ランダムに選択された１以上の当該目印に基づいて前記隠蔽画像を作成することを特徴とする請求項１乃至４のいずれか１項記載の画像読取装置である。
請求項６記載の発明は、前記検出手段は、前記目印としてマーカーが付された領域、下線が付された領域、数字列、あるいは特定の文字列を検出することを特徴とする請求項１乃至５のいずれか１項記載の画像読取装置である。
【０００８】
請求項７記載の発明は、画像を読み取る読取手段と、前記読取手段によって読み取られた読取画像から目印を検出する検出手段と、前記検出手段によって検出された前記目印に基づき、当該目印を含む領域を隠蔽する隠蔽画像を作成する作成手段と、前記読取画像と前記隠蔽画像とを合成して電子文書を作成する合成手段と、前記電子文書を表示する表示手段とを含む携帯端末装置である。
【０００９】
請求項８記載の発明は、コンピュータに、画像を読み取って得られた読取画像から目印を検出する機能と、検出された前記目印に基づき、当該目印を含む領域を隠蔽するための隠蔽画像を作成する機能と、前記読取画像と前記隠蔽画像とを合成して電子文書を作成する機能とを実現させるプログラムである。
【発明の効果】
【００１０】
請求項１記載の発明によれば、本構成を有していない場合と比較して、原稿の画像を読み取って得られた読取画像に対し、目的とする部位に、より簡易に隠蔽処理を施すことができる。
請求項２記載の発明によれば、本構成を有していない場合と比較して、被隠蔽画像の内容を知ることが可能になる。
請求項３記載の発明によれば、本構成を有していない場合と比較して、隠蔽画像に近い領域にて被隠蔽画像の内容を知ることが可能になる。
請求項４記載の発明によれば、本構成を有していない場合と比較して、隠蔽画像から遠い領域にて被隠蔽画像の内容を知ることが可能になる。
請求項５記載の発明によれば、本構成を有していない場合と比較して、作成される隠蔽画像の数を変更することができる。
請求項６記載の発明によれば、本構成を有していない場合と比較して、目印に対応付けて隠蔽処理を施すことができる。
請求項７記載の発明によれば、本構成を有していない場合と比較して、原稿の画像を読み取って得られた読取画像に対し、目的とする部位に、より簡易に隠蔽処理を施すことができる。
請求項８記載の発明によれば、本構成を有していない場合と比較して、原稿の画像を読み取って得られた読取画像に対し、目的とする部位に、より簡易に隠蔽処理を施すことができる。
【図面の簡単な説明】
【００１１】
【図１】実施の形態１における画像読取システムの構成を示した図である。
【図２】画像読取システムにおける画像読取装置のハードウェア構成を示すブロック図である。
【図３】画像読取装置の機能構成を示すブロック図である。
【図４】電子文書のデータ構造を説明するための図である。
【図５】画像読取システムにおける端末装置のハードウェア構成を示すブロック図である。
【図６】端末装置の機能構成を示すブロック図である。
【図７】画像読取装置のＵＩ装置に表示されるＵＩ画像（マスクスキャン設定画面）を説明するための図である。
【図８】画像読取装置に設けられた電子文書作成部が実行する処理の流れを説明するためのフローチャートである。
【図９】画像読取装置に設けられた電子文書作成部が実行する処理の流れを説明するためのフローチャート（つづき）である。
【図１０】第１の設定例におけるマスクスキャン設定画面を示す図である。
【図１１】第１の設定例における原稿画像と電子文書との関係を示す図である。
【図１２】第２の設定例におけるマスクスキャン設定画面を示す図である。
【図１３】第２の設定例における原稿画像と電子文書との関係を示す図である。
【図１４】第３の設定例におけるマスクスキャン設定画面を示す図である。
【図１５】第３の設定例における原稿画像と電子文書との関係を示す図である。
【図１６】第４の設定例におけるマスクスキャン設定画面を示す図である。
【図１７】第４の設定例における原稿画像と電子文書との関係を示す図である。
【図１８】第５の設定例におけるマスクスキャン設定画面を示す図である。
【図１９】第５の設定例における原稿画像と電子文書との関係を示す図である。
【図２０】第６の設定例におけるマスクスキャン設定画面を示す図である。
【図２１】第６の設定例における原稿画像と電子文書との関係を示す図である。
【図２２】実施の形態２における携帯端末装置のハードウェア構成を示すブロック図である。
【図２３】携帯端末装置の機能構成を示すブロック図である。
【図２４】携帯端末装置を用いた操作例（その１）を説明するための図である。
【図２５】携帯端末装置を用いた操作例（その２）を説明するための図である。
【図２６】携帯端末装置を用いた操作例（その３）を説明するための図である。
【図２７】携帯端末装置を用いた操作例（その４）を説明するための図である。
【図２８】携帯端末装置を用いた操作例（その５）を説明するための図である。
【図２９】携帯端末装置を用いた操作例（その６）を説明するための図である。
【発明を実施するための形態】
【００１２】
以下、添付図面を参照して、本発明の実施の形態について詳細に説明する。
＜実施の形態１＞
図１は、実施の形態１における画像読取システムの構成を示した図である。
この画像読取システムは、ネットワーク３０によって相互に接続された、画像読取装置１０および端末装置２０を有している。ここで、画像読取装置１０は、セットされた原稿に形成された画像を読み取る機能と、読み取った画像に基づいて電子文書を作成する機能と、作成した電子文書を、ネットワーク３０を介して出力する機能とを有している。一方、端末装置２０は、画像読取装置１０によって作成された電子文書を、ネットワーク３０を介して取得する機能と、取得した電子文書の内容を解析する機能と、電子文書を解析することで得られた画像を表示する機能とを有している。
【００１３】
図２は、図１に示す画像読取システムにおける画像読取装置１０のハードウェア構成を示すブロック図である。
この画像読取装置１０は、ＣＰＵ（Central Processing Unit）１１と、ＲＯＭ（Read Only Memory）やＲＡＭ（Random Access Memory）で構成されたメモリ１２と、ＨＤＤ（Hard Disk Drive）やＳＳＤ（Solid State Drive）で構成された記憶装置１３と、ネットワーク３０を介して端末装置２０等の外部機器との間でデータ（電子文書を含む）の送受信を行う通信装置１４と、ユーザによる入力を受け付けるとともにユーザに対する指示を出力（表示）するＵＩ（User Interface）装置１５と、原稿の画像を読み取るスキャナ１６とを備えている。また、画像読取装置１０は、これらの各構成要素を相互に接続するバス１８をさらに有している。なお、読取手段の一例としてのスキャナ１６は、例えばＲＧＢ３色の画像を読み取ることにより、フルカラーの画像データを出力する機能を有している。
【００１４】
画像読取装置１０において、ＣＰＵ１１は、メモリ１２または記憶装置１３から読み出した制御プログラムに基づく処理を実行することで、画像処理を含む画像読取装置１０の動作を制御する。なお、ＣＰＵ１１が実行する制御プログラムは、予めメモリ１２や記憶装置１３に記憶させておく形態の他、例えばＣＤ−ＲＯＭ等の記憶媒体に格納してＣＰＵ１１に提供したり、あるいは、ネットワーク３０を介してＣＰＵ１１に提供したりすることも可能である。
【００１５】
図３は、上述した制御プログラムが実行されることにより実現される、画像読取装置１０の機能構成を示すブロック図である。
この画像読取装置１０は、スキャナ１６が原稿を読み取ることによって得られた画像データ（以下の説明においては、元画像データと呼ぶ）に、画像処理を施すことによって電子文書を作成する電子文書作成部１００を有している。この電子文書作成部１００は、読取設定部１１０と、目印検出部１２０と、付加データ作成部１３０と、電子文書合成部１４０とを備えている。
【００１６】
読取設定部１１０は、原稿の画像の読み取りに際して、スキャナ１６から入力されてくる元画像データの内容を変更せずに出力する第１の読み取り動作（以下では通常スキャンと呼ぶ）を実行するのか、あるいは、元画像データの一部にマスクを被せることで、マスクで覆われた領域の画像の内容を隠蔽して出力する第２の読み取り動作（以下ではマスクスキャンと呼ぶ）を実行するのか、についての設定を行う。なお、この設定は、ＵＩ装置１５にて受け付けた指示に基づいて行われる。
【００１７】
検出手段の一例としての目印検出部１２０は、読取設定部１１０にてマスクスキャンの設定が行われた場合に、ＵＩ装置１５にて受け付けた指示に基づき、元画像データから、マスク形成の対象位置となり得る目印の検出を行う。なお、本実施の形態における「目印」の詳細については後述する。
【００１８】
作成手段の一例としての付加データ作成部１３０は、読取設定部１１０にてマスクスキャンの設定が行われた場合に、目印検出部１２０で検出された目印と、ＵＩ装置１５にて受け付けた指示とに基づいて、元画像データに対しマスクを形成すべき領域（変換対象領域）を設定し、設定された変換対象領域に対応するマスク画像データとマスク画像に付随して設定される付随データとを含む付加データ（マスクデータ）を作成する。ここで、付加データ作成部１３０は、上述した変換対象領域を設定する対象領域設定部１３１と、上述したマスクデータを作成するマスクデータ作成部１３２と、元画像データに対しＯＣＲ（Optical Character Recognition）処理を施すことで、元画像データに存在する文字の情報を取得する文字情報取得部１３３とを有している。なお、付加データの詳細については後述する。
【００１９】
合成手段の一例としての電子文書合成部１４０は、読取設定部１１０にてマスクスキャンの設定が行われた場合に、付加データ作成部１３０によって作成された付加データと、この付加データの元となった元画像データとを合成して電子文書を作成し、得られた電子文書（以下では、マスク処理文書と呼ぶ）を出力する。なお、電子文書合成部１４０は、読取設定部１１０にて通常スキャンの設定が行われた場合には、元画像データ単体を電子文書（以下では、通常処理文書と呼ぶ）として出力する。そして、本実施の形態では、電子文書合成部１４０が、電子文書をＰＤＦ（Portable Document Format）ファイルとして出力するようになっている。
【００２０】
図４は、電子文書合成部１４０から出力される電子文書のデータ構造を説明するための図である。ここで、図４（ａ）はマスク処理文書のデータ構造を、図４（ｂ）は通常処理文書のデータ構造を、それぞれ示している。
マスク処理文書は、上述したように、元画像データとこの元画像データに基づいて作成された付加データとを含んでいる。これに対し、通常処理文書は、元画像データを含む一方で付加データを含まない。
【００２１】
図５は、図１に示す画像読取システムにおける端末装置２０のハードウェア構成を示すブロック図である。
この端末装置２０は、ＣＰＵ（Central Processing Unit）２１と、ＲＯＭ（Read Only Memory）やＲＡＭ（Random Access Memory）で構成されたメモリ２２と、ＨＤＤ（Hard Disk Drive）やＳＳＤ（Solid State Drive）で構成された記憶装置２３と、ネットワーク３０を介して画像読取装置１０等の外部機器との間でデータ（上述した電子文書を含む）の送受信を行う通信装置２４と、ユーザによる入力を受け付けるＵＩ（User Interface）装置２５と、電子文書等に基づく画像を表示する表示装置２７とを備えている。また、端末装置２０は、これらの各構成要素を相互に接続するバス２８をさらに有している。ここで、端末装置２０は、例えばパーソナルコンピュータ（ＰＣ）で構成されており、ＵＩ装置２５は、キーボードやマウスによって構成されている。また、表示装置２７は、例えばＲＧＢ３色を用いてフルカラー画像を表示する液晶ディスプレイ等で構成されている。
【００２２】
端末装置２０において、ＣＰＵ２１は、メモリ２２または記憶装置２３から読み出した制御プログラムに基づく処理を実行することで、画像処理を含む端末装置２０の動作を制御する。なお、ＣＰＵ２１が実行する制御プログラムは、予めメモリ２２や記憶装置２３に記憶させておく形態の他、例えばＣＤ−ＲＯＭ等の記憶媒体に格納してＣＰＵ２１に提供したり、あるいは、ネットワーク３０を介してＣＰＵ２１に提供したりすることも可能である。
【００２３】
図６は、上述した制御プログラムが実行されることにより実現される、端末装置２０の機能構成を示すブロック図である。
この端末装置２０は、ネットワーク３０を介して画像読取装置１０から入力されてくる電子文書を解析する電子文書解析部２００を有している。この電子文書解析部２００は、入力画像処理部２１０と、表示画像処理部２２０とを備えている。
【００２４】
入力画像処理部２１０は、入力されてくる電子文書の内容を解析する処理を実行し、元画像データの抽出を行う。また、入力画像処理部２１０は、電子文書に付加データが含まれている場合（電子文書がマスク処理文書である場合）には、さらに付加データの抽出を行う。
【００２５】
表示画像処理部２２０は、入力画像処理部２１０によって解析された電子文書の内容を、表示装置２６に表示させるための処理を実行する。また、表示画像処理部２２０は、ＵＩ装置２５にて受け付けた指示に基づいて、解析された電子文書にさらに加工を施すとともに、加工が施された電子文書の内容を、表示装置２６に表示させるための処理を実行する。
【００２６】
図７は、画像読取装置１０のＵＩ装置１５に表示されるＵＩ画像を説明するための図である。なお、ここでは、ＵＩ装置１５に表示される各種ＵＩ画像のうち、上述したマスクスキャンの設定に関連する画像（以下では、マスクスキャン設定画面と呼ぶ）を例として示す。
【００２７】
図７に示すマスクスキャン設定画面は、マスクスキャンを実行するか否かの指定を受け付けるマスクスキャン受付領域１５ａと、マスクスキャンを実行する場合にマスクへの変換対象となる目印の指定を受け付ける変換指定受付領域１５ｂと、マスクスキャンを実行する場合にマスクへの変換対象となる目印の数をランダムに設定するか否かの指定を受け付けるランダム変換受付領域１５ｃと、マスクスキャンを実行する場合にマスク処理の内容の指定を受け付ける変換処理受付領域１５ｄと、マスクスキャンを実行する場合にマスク処理に設定された別処理を実行するか否かの指定を受け付ける別処理受付領域１５ｅと、上述したマスクスキャンの各設定の確定あるいは破棄を受け付ける確定破棄受付部１５ｆとを有している。
【００２８】
これらのうち、マスクスキャン受付領域１５ａは、マスクスキャンに関し、『する』、『しない』のいずれか一方の選択を受け付けるようになっている。
【００２９】
また、変換指定受付領域１５ｂは、変換指定の対象となる目印として、『マーカー』、『下線』、『数字』、『形態素』のうちのいずれか１つの選択を受け付けるようになっている。ここで、『マーカー』は、文字画像の上に重ねて形成される半透明の画像をいい、例えば蛍光ペン（ラインマーカー、蛍光マーカー）によって形成される。また、『下線』は、文字画像の下側に引かれた線状の画像をいい、例えばボールペンや上述した蛍光ペン等によって形成される。さらに『数字』は、文字画像のうち漢数字やアラビア数字による画像をいう。ここで、変換指定受付領域１５ｂは、『数字』の選択を受け付けた場合に、変換指定の対象となる数字の桁数の入力を受け付けるようになっている。さらにまた、『形態素』は、文字画像によって構成される品詞の種別をいう。そして、変換指定受付領域１５ｂは、『形態素』の選択を受け付けた場合に、形態素の具体的な内容の選択を受け付けるようになっている。なお、本実施の形態では、形態素として、「名詞」、「動詞」、「固有名詞」のうちのいずれか１つの選択を受け付けるようになっている（後述する図２０を参照）。
【００３０】
さらに、ランダム変換受付領域１５ｃは、ランダム変換に関し、『する』、『しない』のいずれか一方の選択を受け付けるようになっている。そして、ランダム変換受付領域１５ｃは、ランダム変換に関し『する』の選択を受け付けた場合に、ランダム変換の対象となる目印の数（箇所）を受け付けるようになっている。
【００３１】
さらにまた、変換処理受付領域１５ｄは、変換処理の内容として、隠蔽画像として、一様濃度のマスク（以下では通常マスクと呼ぶ）のみを形成する『マスクのみ』、通常マスクに加えて正答を表示するための吹き出しを形成する『吹き出し』、通常マスクに代えて連番が付されたマスク（以下では連番マスクと呼ぶ）を形成する『連番処理』のうちのいずれか１つの選択を受け付けるようになっている。
【００３２】
そして、別処理受付領域１５ｅは、別処理に関し、『する』、『しない』のいずれか一方の選択を受け付けるようになっている。ここで、別処理受付領域１５ｅは、別処理に関し、『する』の選択を受け付けた場合に、別処理の具体的な内容の選択を受け付けるようになっている。なお、本実施の形態では、別処理として、被隠蔽画像である正答の画像を次のページに形成する「次ページ」、正答の画像を同じページの脚注として形成する「フッター」、正答の画像を同じページの頭注として形成する「ヘッダ」のうちのいずれか１つの選択を受け付けるようになっている（後述する図１４を参照）。
【００３３】
図８および図９は、上述した画像読取装置１０に設けられた電子文書作成部１００が実行する処理の流れを説明するためのフローチャートである。なお、以下の処理は、画像読取装置１０による原稿の画像読み取り動作が実行されるのに伴って、すなわち、電子文書作成部１００に元画像データが入力されるのに伴って行われる。
【００３４】
この処理では、まず、読取設定部１１０が、マスクスキャン受付領域１５ａにてマスクスキャンの指定を受け付けたか否かを判断する（ステップ１１）。ステップ１１において肯定の判断（Ｙｅｓ）を行った場合、次に、目印検出部１２０が、変換指定受付領域１５ｂにて受け付けた変換指定の内容を認識し、この内容に該当する目印（該当目印）を検出する（ステップ１２）。
【００３５】
続いて、対象領域設定部１３１は、ランダム変換受付領域１５ｃにてランダム変換の指定を受け付けたか否かを判断する（ステップ１３）。ステップ１３において否定の判断（Ｎｏ）を行った場合は、後述するステップ１６へと進む。
【００３６】
一方、ステップ１３において肯定の判断（Ｙｅｓ）を行った場合、対象領域設定部１３１は、ランダム変換受付領域１５ｃにて受け付けた指定箇所の数を認識し、ステップ１２で検出された１以上の該当目印の中から、指定箇所の数と同数となる対象目印を選択する（ステップ１４）。続いて、対象領域設定部１３１は、ステップ１２で検出された１以上の該当目印から、ステップ１４で選択された対象目印以外の目印を除外する（ステップ１５）。
【００３７】
そして、対象領域設定部１３１は、ステップ１２で検出されあるいはステップ１２で検出された後にステップ１５で修正された１以上の該当目印に基づき、マスクを形成する対象となる変換対象領域を設定する（ステップ１６）。続いて、マスクデータ作成部１３２が、変換処理受付領域１５ｄにて受け付けた変換処理の内容を認識する（ステップ１７）。
【００３８】
それから、対象領域設定部１３１は、ステップ１７で認識した変換処理が、『マスクのみ』であったか否かを判断する（ステップ１８）。ステップ１８において肯定の判断（Ｙｅｓ）を行った場合、マスクデータ作成部１３２は、ステップ１６で設定された各変換対象領域に通常マスクを配置した付加データを作成する（ステップ１９）。その後、電子文書合成部１４０は、ステップ１９で作成した付加データとこの付加データの元となる元画像データとを合成して電子文書を作成し（ステップ２０）、一連の処理を完了する。
【００３９】
一方、ステップ１８において否定の判断（Ｎｏ）を行った場合、対象領域設定部１３１は、次に、ステップ１７で認識した変換処理が、『吹き出し』であったか否かを判断する（ステップ２１）。ステップ２１において肯定の判断（Ｙｅｓ）を行った場合、文字情報取得部１３３は、元画像データから、ステップ１６で設定された各変換対象領域に存在する文字列の抽出を行う（ステップ２２）。そして、マスクデータ作成部１３２は、ステップ１６で設定された各変換対象領域に通常マスクを配置し、さらに、ステップ２２で抽出した文字列を、各通常マスクに連動する吹き出し画像として配置した付加データを作成し（ステップ２３）、上述したステップ２０へと移行する。
【００４０】
また、ステップ２１において否定の判断（Ｎｏ）を行った場合、すなわち、ステップ１７で認識した変換処理が『連番処理』であった場合、対象領域設定部１３１は、別処理受付領域１５ｅにて別処理の指定を受け付けたか否かを判断する（ステップ２４）。ステップ２４で肯定の判断（Ｙｅｓ）を行った場合、文字情報取得部１３３は、元画像データから、ステップ１６で設定された各変換対象領域に存在する文字列の抽出を行う（ステップ２５）。そして、マスクデータ作成部１３２は、ステップ１６で設定された各変換対象領域に連番マスクを配置し、さらに、ステップ２５で抽出した文字列を、別処理受付領域１５ｅで受け付けた別処理に対応する文字画像として配置した付加データを作成し（ステップ２６）、上述したステップ２０へと移行する。
【００４１】
これに対し、ステップ２４で否定の判断（Ｎｏ）を行った場合、マスクデータ作成部１３２は、ステップ１６で設定された各変換対象領域に連番マスクを配置した付加データを作成し（ステップ２７）、上述したステップ２０へと移行する。
【００４２】
なお、ステップ１１において否定の判断（Ｎｏ）を行った場合、読取設定部１１０は通常スキャンの設定を行い、ステップ２０において電子文書合成部１４０は元画像データに基づく電子文書を作成する。
【００４３】
次に、電子文書作成部１００によって作成される電子文書について、６つの設定例を挙げて説明を行う。なお、以下の説明において、図面に記載された電子文書は、画像読取装置１０に設けられた電子文書作成部１００で作成された後、端末装置２０の表示装置２７に表示されたものである。
【００４４】
（第１の設定例）
図１０は、第１の設定例におけるマスクスキャン設定画面を示す図である。第１の設定例では、マスクスキャン受付領域１５ａにおいて『する』が、変換指定受付領域１５ｂにおいて『マーカー』が、ランダム変換受付領域１５ｃにおいて『しない』が、変換処理受付領域１５ｄにおいて『マスクのみ』が、別処理受付領域１５ｅにおいて『しない』が、それぞれ選択されている。したがって、第１の設定例は、図８および図９に示すフローチャートにおいて、ステップ１１で「Ｙｅｓ」、ステップ１３で「Ｎｏ」、ステップ１８で「Ｙｅｓ」、の判断を行う場合に対応している。
【００４５】
図１１は、第１の設定例における原稿画像と電子文書との関係を示す図である。
図１１に示す原稿画像には、３つの英文が記載されている。また、この原稿画像においては、３つの文のそれぞれにおける動詞の文字列に、マーカーによる重ね書きがなされている。そして、第１の設定例の条件にて画像処理を実行した結果、原稿画像においてマーカーが記載されていた３つの領域のすべてが変換対象領域となり、得られる電子文書は、原稿画像に基づく元画像データに対し、３つの変換対象領域のそれぞれを通常マスクで覆ったものとなる。
【００４６】
（第２の設定例）
図１２は、第２の設定例におけるマスクスキャン設定画面を示す図である。第２の設定例では、マスクスキャン受付領域１５ａにおいて『する』が、変換指定受付領域１５ｂにおいて『マーカー』が、ランダム変換受付領域１５ｃにおいて『しない』が、変換処理受付領域１５ｄにおいて『吹き出し』が、別処理受付領域１５ｅにおいて『しない』が、それぞれ選択されている。したがって、第２の設定例は、図８および図９に示すフローチャートにおいて、ステップ１１で「Ｙｅｓ」、ステップ１３で「Ｎｏ」、ステップ１８で「Ｎｏ」、ステップ２１で「Ｙｅｓ」、の判断を行う場合に対応している。
【００４７】
図１３は、第２の設定例における原稿画像と電子文書との関係を示す図である。
図１３に示す原稿画像は、第１の設定例と同じものである。そして、第２の設定例の条件にて画像処理を実行した結果、原稿画像においてマーカーが形成されていた３つの領域のすべてが変換対象領域となり、得られる電子文書は、原稿画像に基づく元画像データに対し、３つの変換対象領域のそれぞれを通常マスクで覆ったものとなる。また、第２の設定例の条件で作成された電子文書は、端末装置２０のＵＩ装置２５にて表示装置２７の画面上のポインタを通常マスクに重ねる操作を行った場合に、原稿画像においてこの通常マスクの背面に存在していた文字画像（正答）が、吹き出しとともに表示される。
【００４８】
（第３の設定例）
図１４は、第３の設定例におけるマスクスキャン設定画面を示す図である。第３の設定例では、マスクスキャン受付領域１５ａにおいて『する』が、変換指定受付領域１５ｂにおいて『下線』が、ランダム変換受付領域１５ｃにおいて『しない』が、変換処理受付領域１５ｄにおいて『連番処理』が、別処理受付領域１５ｅにおいて『する』且つ『次ページ』が、それぞれ選択されている。したがって、第３の設定例は、図８および図９に示すフローチャートにおいて、ステップ１１で「Ｙｅｓ」、ステップ１３で「Ｎｏ」、ステップ１８で「Ｎｏ」、ステップ２１で「Ｎｏ」、ステップ２４で「Ｙｅｓ」、の判断を行う場合に対応している。
【００４９】
図１５は、第３の設定例における原稿画像と電子文書との関係を示す図である。
図１５に示す原稿画像に記載される３つの英文は、第１の設定例と同じものである。ただし、この原稿画像においては、３つの文のそれぞれにおける動詞の文字列の下に、下線が書き込まれている。そして、第３の設定例の条件にて画像処理を実行した結果、原稿画像において下線が記載されていた３つの領域の上方の文字領域がすべて変換対象領域となり、得られる電子文書は、原稿画像に基づく元画像データに対し、３つの変換対象領域のそれぞれを連番マスク（ここでは１〜３）で覆ったものとなる。また、第３の設定例の条件で作成された電子文書には、元画像データに基づくページに次のページが追加されており、次のページには、連番と連番に対応する正答（連番マスクの背面に存在していた文字画像）とが、対応付けられた状態で表示される。
【００５０】
（第４の設定例）
図１６は、第４の設定例におけるマスクスキャン設定画面を示す図である。第４の設定例では、マスクスキャン受付領域１５ａにおいて『する』が、変換指定受付領域１５ｂにおいて『下線』が、ランダム変換受付領域１５ｃにおいて『する』且つ『４箇所』が、変換処理受付領域１５ｄにおいて『マスクのみ』が、別処理受付領域１５ｅにおいて『しない』が、それぞれ選択されている。したがって、第４の設定例は、図８および図９に示すフローチャートにおいて、ステップ１１で「Ｙｅｓ」、ステップ１３で「Ｙｅｓ」、ステップ１８で「Ｙｅｓ」、の判断を行う場合に対応している。
【００５１】
図１７は、第４の設定例における原稿画像と電子文書との関係を示す図である。
図１７に示す原稿画像は、１０行の英会話文が記載されている。また、この原稿画像においては、１行目の「ａｒｅ」、２行目の「ａｎｄ」、３行目の「ｔｏｏ」、６行目の「ｔｏ」および「ｗｉｔｈ」、８行目の「ｗｉｌｌ」、９行目の「ｙｏｕ」に、それぞれ下線が書き込まれている。そして、第４の設定例の条件にて画像処理を行った結果、原稿画像において下線が記載されていた７つの領域のうち、４つの領域（この例では２行目の「ａｎｄ」、３行目の「ｔｏｏ」、６行目の「ｗｉｔｈ」、８行目の「ｗｉｌｌ」）の上方の文字領域のみが変換対象領域となり、１行目の「ａｒｅ」等は、変換対象領域から外される。その結果、得られる電子文書は、原稿画像に基づく元画像データに対し、４つの変換対象領域のそれぞれを通常マスクで覆ったものとなる。
【００５２】
（第５の設定例）
図１８は、第５の設定例におけるマスクスキャン設定画面を示す図である。第５の設定例では、マスクスキャン受付領域１５ａにおいて『する』が、変換指定受付領域１５ｂにおいて『数字』且つ『３桁以上』が、ランダム変換受付領域１５ｃにおいて『しない』が、変換処理受付領域１５ｄにおいて『吹き出し』が、別処理受付領域１５ｅにおいて『しない』が、それぞれ選択されている。したがって、第５の設定例は、図８および図９に示すフローチャートにおいて、ステップ１１で「Ｙｅｓ」、ステップ１３で「Ｎｏ」、ステップ１８で「Ｎｏ」、ステップ２１で「Ｙｅｓ」、の判断を行う場合に対応している。
【００５３】
図１９は、第５の設定例における原稿画像と電子文書との関係を示す図である。
図１９に示す原稿画像には、７行の和文が記載されている。また、この原稿画像は、歴史年表に基づくものであり、各行の先頭にはアラビア数字による西暦が記載されている。そして、第５の設定例の条件にて画像処理を行った結果、原稿画像において４桁の数字が記載されていた７つの領域およびその周囲がすべて変換対象領域となり、得られる電子文書は、原稿画像に基づく元画像データに対し、７つの変換対象領域のそれぞれを通常マスクで覆ったものとなる。また、第５の設定例の条件で作成された電子文書は、第２の設定例と同じく、端末装置２０のＵＩ装置２５にて表示装置２７の画面上のポインタを通常マスクに重ねる操作を行った場合に、原稿画像においてこの通常マスクの背面に存在していた文字画像（正答）が、吹き出しとともに表示される。
【００５４】
（第６の設定例）
図２０は、第６の設定例におけるマスクスキャン設定画面を示す図である。第６の設定例では、マスクスキャン受付領域１５ａにおいて『する』が、変換指定受付領域１５ｂにおいて『形態素』且つ『固有名詞』が、ランダム変換受付領域１５ｃにおいて『しない』が、変換処理受付領域１５ｄにおいて『マスクのみ』が、別処理受付領域１５ｅにおいて『しない』が、それぞれ選択されている。したがって、第６の設定例は、図８および図９に示すフローチャートにおいて、ステップ１１で「Ｙｅｓ」、ステップ１３で「Ｎｏ」、ステップ１８で「Ｙｅｓ」、の判断を行う場合に対応している。
【００５５】
図２１は、第６の設定例における原稿画像と電子文書との関係を示す図である。
図２１に示す原稿画像は、第５の設定例と同じものである。そして、第６の設定例の条件にて画像処理を実行した結果、原稿画像において固有名詞（人名等）が記載されていた１０個の領域およびその周囲がすべて変換対象領域となり、得られる電子文書は、原稿画像に基づく元画像データに対し、１０個の変換対象領域のそれぞれを通常マスクで覆ったものとなる。
【００５６】
＜実施の形態２＞
実施の形態１では、原稿の画像を読み取るとともに読取結果に基づいて電子文書の作成を行う画像読取装置１０と、作成された電子文書を表示する端末装置２０とを、別々に設けていた。これに対し、本実施の形態では、画像の読取機能、電子文書の作成機能および電子文書の表示機能を、１つの装置に内蔵させるようにしたものである。
【００５７】
図２２は、実施の形態２にかかる携帯端末装置４０のハードウェア構成を示すブロック図である。
この携帯端末装置４０は、ＣＰＵ（Central Processing Unit）４１と、ＲＯＭ（Read Only Memory）やＲＡＭ（Random Access Memory）で構成されたメモリ４２と、ＨＤＤ（Hard Disk Drive）やＳＳＤ（Solid State Drive）で構成された記憶装置４３と、図示しない無線ネットワークや電話回線を介して他の携帯端末装置との間でデータの送受信を行う通信装置４４と、ユーザによる入力を受け付けるとともにユーザに対する指示を出力（表示）するＵＩ（User Interface）装置４５と、原稿等の画像を撮影する撮像装置４６とを備えている。また、携帯端末装置４０は、これらの各構成要素を相互に接続するバス４８をさらに有している。ここで、本実施の形態では、ＵＩ装置４５が、電子文書を表示する表示装置としての機能も有している。また、撮像装置４６は、例えばＲＧＢ３色の画像を取得することにより、フルカラーの画像データを出力する機能を有している。そして、ＵＩ装置４５も、例えばＲＧＢ３色によってフルカラーの画像を表示する機能を有している。
【００５８】
携帯端末装置４０において、ＣＰＵ４１は、メモリ４２または記憶装置４３から読み出した制御プログラムに基づく処理を実行することで、画像処理を含む携帯端末装置４０の動作を制御する。なお、ＣＰＵ４１が実行する制御プログラムは、予めメモリ４２や記憶装置４３に記憶させておく形態の他、例えばＣＤ−ＲＯＭ等の記憶媒体に格納してＣＰＵ４１に提供したり、あるいは、外部のネットワーク（図示せず）から通信装置４４を介してＣＰＵ１１に提供したりすることも可能である。
【００５９】
図２３は、上述した制御プログラムが実行されることにより実現される、携帯端末装置４０の機能構成を示すブロック図である。
この携帯端末装置４０は、撮像装置４６が原稿を撮影することによって得られた画像データ（元画像データ）に、画像処理を施すことによって電子文書を作成し、且つ、作成した電子文書に画像処理を施すことによって表示用の画像を作成する電子文書処理部４００を備えている。また、電子文書処理部４００は、電子文書を作成する電子文書作成部１００と、電子文書作成部１００が作成した電子文書を記憶する電子文書記憶部３００と、電子文書記憶部３００から読み出した電子文書を解析する電子文書解析部２００とを備えている。なお、電子文書作成部１００は、実施の形態１において画像読取装置１０に設けられていたもの（図３参照）と同じであり、電子文書解析部２００は、実施の形態１において端末装置２０に設けられていたもの（図６参照）と同じである。また、電子文書記憶部３００は、例えば記憶装置４３（図２２参照）によって実現される。
【００６０】
さらに、表示手段の一例としてのＵＩ装置４５は、ユーザからの指示を受け付ける指示受付部４５１と、電子文書解析部２００によって作成された画像を表示する表示部４５２とを有している。
【００６１】
なお、ここでは、携帯端末装置４０が、撮影機能を有する携帯電話機（スマートフォンを含む）で構成される場合を例として説明を行う。ただし、携帯端末装置４０が通信機能を有している必要はないことから、例えば撮影機能を有するＰＤＡ（Personal Digital Assistant）や、デジタルカメラ等であってもかまわない。
【００６２】
図２４〜図２９は、本実施の形態の携帯端末装置４０を用いた操作例を説明するための図である。なお、ここでは、携帯端末装置４０で実行し得る各種操作のうち、電子文書の作成および作成した電子文書に基づく画像の表示に関する操作を例として示す。
【００６３】
図２４（ａ）は、携帯端末装置４０のＵＩ装置４５にデスクトップが表示された状態を示す図である。このデスクトップには、マスクスキャン（Mask Scan）を含む複数のアイコンが表示されている。そして、マスクスキャンのアイコンをタップすることにより、マスクスキャンの設定が開始される。
【００６４】
図２４（ｂ）は、携帯端末装置４０のＵＩ装置４５にマスクスキャン画面が表示された状態を示す図である。ここで、マスクスキャン画面の下部側には、カメラを模した撮影アイコンが表示されている。そして、ＵＩ装置４５にマスクスキャン画面が表示された状態で、携帯端末装置４０の上部右側に設けられた設定ボタンが押下されることにより、マスクスキャンにおける設定が開始される。
【００６５】
図２５（ａ）は、携帯端末装置４０のＵＩ装置４５にマスクスキャン設定画面として変換指定受付領域１５ｂと変換処理受付領域１５ｄとが表示された状態を示す図である。この画面には、図中上下方向に伸びるスクロールバーがさらに表示されている。そして、スクロールバーがスライドされることにより、画面の表示内容が変更される。図２５（ｂ）は、上述したスクロールバーがスライドされることにより、携帯端末装置４０のＵＩ装置４５に、マスクスキャン設定画面としてランダム変換受付領域１５ｃと別処理受付領域１５ｅとが表示された状態を示す図である。
【００６６】
図２５（ａ）、（ｂ）に示すように、変換指定受付領域１５ｂ、ランダム変換受付領域１５ｃ、変換処理受付領域１５ｄおよび別処理受付領域１５ｅの表示内容は、実施の形態１で説明したものと同じであり、ユーザがＵＩ装置４５の画面上をタップすることにより、それぞれの設定に関する受け付けがなされる。そして、この画面の左上部に設けられた「戻る」ボタンをタップすることにより、各設定が確定される。
【００６７】
なお、図２５に示す例では、変換指定受付領域１５ｂにおいて『マーカー』が、変換処理受付領域１５ｄにおいて『マスクのみ』が、ランダム変換受付領域１５ｃにおいて『しない』が、別処理受付領域１５ｅにおいて『しない』が、それぞれ選択されている。
【００６８】
図２６（ａ）は、マスクスキャンに関する各種設定が受け付けられた後に、携帯端末装置４０のＵＩ装置４５にマスクスキャン画面が再び表示された状態を示す図である。この画面において、下部側に表示された撮影アイコンがタップされることで、撮像画面への移行が行われる。
【００６９】
図２６（ｂ）は、携帯端末装置４０のＵＩ装置４５に撮像画面が表示された状態を示す図である。また、図２６（ｃ）は、撮影の対象となる原稿画像を示している。ＵＩ装置４５に表示される撮像画面には、撮影の対象（ここでは図２６（ｃ）に示す原稿画像）と、撮像を実行するカメラを模した撮像アイコンとが表示される。そして、撮像アイコンがタップされることで、携帯端末装置４０に設けられた撮像装置４６（図２２参照）が、図２６（ｃ）に示す原稿画像を撮像する。なお、この例において、撮影の対象となる原稿画像は、実施の形態１の設定例１、２で説明したものと同じである。
【００７０】
図２７（ａ）は、撮像実行後の携帯端末装置４０のＵＩ装置４５にマスク処理設定画面が表示された状態を示す図である。ＵＩ装置４５に表示されるマスク処理設定画面には、撮像装置４６による撮像に伴って得られた画像（元画像データに基づく）と、マスク処理を実行する実行アイコンとが表示される。そして、実行アイコンがタップされることで、図２６（ｃ）に示す原稿画像を読み取って得られた元画像データに対し、図２５（ａ）、（ｂ）に示す設定に基づくマスク処理が実行される。
【００７１】
図２７（ｂ）は、携帯端末装置４０のＵＩ装置４５に、元画像データにマスク処理を施すことによって得られた電子文書が表示された状態を示す図である。この例では、実施の形態１の設定例１と同じ処理内容にてマスク処理が施された電子文書が表示される。また、この画面の下方には、得られた電子文書を保存するか否かを選択するアイコン（保存、キャンセル）が表示されており、例えば『保存』のアイコンがタップされた場合には、この電子文書が保存され、例えば『キャンセル』のアイコンがタップされた場合には、この電子文書が破棄される。
【００７２】
図２８（ａ）は、図２７（ｂ）に示す画面において『保存』のアイコンがタップされた場合に、携帯端末装置４０のＵＩ装置４５に表示される画面を示している。この例では、マスク処理が施された電子文書に重ねて「保存しました」のメッセージとともにユーザに確認を促す『ＯＫ』のアイコンが表示される。そして、このアイコンがタップされることにより、電子文書の保存が完了する。
【００７３】
図２８（ｂ）は、図２８（ａ）に示す画面において『ＯＫ』のアイコンがタップされた後に、携帯端末装置４０のＵＩ装置４５に表示される画面を示している。この例では、保存された電子文書とともに、『戻る』のアイコンが表示される。
【００７４】
図２９（ａ）は、図２８（ｂ）に示す画面において『戻る』のアイコンがタップされた場合に、携帯端末装置４０のＵＩ装置４５にマスクスキャン画面が表示された状態を示す図である。ここで、電子文書が保存されている場合には、撮影アイコンの上方に、電子文書のサムネイルおよびこの電子文書の作成日時が並べて表示される。そして、この電子文書に対応した三角形状の呼び出しアイコンがさらに表示される。
【００７５】
図２９（ｂ）は、図２９（ａ）に示す画面において呼び出しアイコンがタップされた場合に、携帯端末装置４０のＵＩ装置４５に表示された電子文書を示す図である。そして、ユーザは、ＵＩ画面に表示された電子文書を参照しつつ、マスク処理が施された部位に存在すべき単語等について検討を行う。
【符号の説明】
【００７６】
１０…画像読取装置、２０…端末装置、３０…ネットワーク、４０…携帯端末装置、１００…電子文書作成部、１１０…読取設定部、１２０…目印検出部、１３０…付加データ作成部、１３１…対象領域設定部、１３２…マスクデータ作成部、１３３…文字情報取得部、１４０…電子文書合成部、２００…電子文書解析部、２１０…入力画像処理部、２２０…表示画像処理部、３００…電子文書記憶部、４００…電子文書処理部
【図１】
2013150025.tif 000003
【図２】
2013150025.tif 000004
【図３】
2013150025.tif 000005
【図４】
2013150025.tif 000006
【図５】
2013150025.tif 000007
【図６】
2013150025.tif 000008
【図７】
2013150025.tif 000009
【図８】
2013150025.tif 000010
【図９】
2013150025.tif 000011
【図１０】
2013150025.tif 000012
【図１１】
2013150025.tif 000013
【図１２】
2013150025.tif 000014
【図１３】
2013150025.tif 000015
【図１４】
2013150025.tif 000016
【図１５】
2013150025.tif 000017
【図１６】
2013150025.tif 000018
【図１７】
2013150025.tif 000019
【図１８】
2013150025.tif 000020
【図１９】
2013150025.tif 000021
【図２０】
2013150025.tif 000022
【図２１】
2013150025.tif 000023
【図２２】
2013150025.tif 000024
【図２３】
2013150025.tif 000025
【図２４】
2013150025.tif 000026
【図２５】
2013150025.tif 000027
【図２６】
2013150025.tif 000028
【図２７】
2013150025.tif 000029
【図２８】
2013150025.tif 000030
【図２９】
2013150025.tif 000031